(57)【特許請求の範囲】
【請求項１】
平面的に見て手前側のカバー体と奥側のケース体を有し、前記カバー体の側部に開封部を介して内部に封印ビスが収納されるようにビス保持部を有する封印締着部を設けるとともに前記ビス保持部の上部内面には内方に突出する複数個の抜け止め突起が形成されており、前記抜け止め突起に当接させながら前記封印ビスを挿入することにより前記ビス保持部内に前記封印ビスが収納されるように構成され、前記封印締着部に対応して前記ケース体の側部に開封部を介して封印ボス部を設け、該封印ボス部と前記封印締着部との間に前記ビス保持部に収納されている前記封印ビスを締め込んで前記カバー体を前記ケース体に対して閉じ状態に固定する制御基板収納ボックスであって、
前記ケース体の開封部と前記カバー体の開封部は、平面的に見て前記封印締着部と前記封印ボス部よりそれぞれ細く形成されると共に、平面的に見て前記ケース体の開封部を前記カバー体の開封部よりも幅広に形成したことを特徴とする遊技機の制御基板収納ボックス。
【発明の詳細な説明】
【０００１】
【発明の属する技術分野】
本発明は、例えばパチンコ機等の遊技機の制御基板収納ボックスに関し、特にその不正開封を防止し、あるいはその痕跡を容易に発見するための技術に関する。
【０００２】
【従来の技術】
従来より、制御基板の不正改造、例えば不正ＲＯＭの交換を防止するために、制御基板を収納する制御基板収納ボックスには様々な工夫が施されているが、一般的にはカバー体をケース体にビス止めして固定し、その上で両者間に封印シールを貼り付けておくことにより、カバー体の開放そのものを禁止して制御基板の不正改造を防止するとともに、万一、カバー体が開けられて不正改造が行われた場合には、封印シールが切断されていることから容易に不正行為が行われた事実を発見できるようにしていた。しかし、封印シールによるものでは、封印シールさえ剥がせばカバー体を開けることができるので、比較的容易に制御基板の不正改造を行うことができてしまうという問題があり、また不正改造後、封印シールを巧妙に再度貼り付ければ、不正改造の事実を発見することも困難になってしまうという問題があった。
【０００３】
上記した問題に鑑み、同一出願人は先に特願平９−２１６３８号を提案している。先願の制御基板収納ボックス１は、図１６に示すようにケース体２の封印ボス部２ｂとカバー体３の封印締着部３ｂとの間にシャービス（封印ビスに相当する。）を締め込んでおくことにより取り外し不能に封印している。さらに、封印ビスによる封印部を複数回数分設けるとともに、当局の検査等正当な理由のもとにカバー体３を開封する場合には、封印済の封印部の開封部２ａ，３ａを切断すれば開封でき、また未封印いわゆる予備の封印部において封印ビスにより封印することにより、複数回の封印が行えるようにしたものを提案している。
【０００４】
【発明が解決しようとする課題】
しかしながら、上記従来の制御基板収納ボックス１にあっては、ケース体２側の開封部２ａ又はカバー体３側の開封部３ａの一方のみを切断した場合でも開封できる構成となっていた。
【０００５】
ここで、通常、制御基板収納ボックスは、パチンコ機裏面側から見たときカバー体の表面とほぼ直角方向から見る（以下、平面的に見るという）ように設置されているため、図１６において矢印で示す方向から平面的に見た場合に手前側にカバー体３が位置し、奥側にケース体２が位置することとなり、従ってカバー体３の奥側に位置するケース体２の開封部２ａは平面的に見た場合にカバー体３の開封部３ａに隠れて目視しにくい構成となっていた。このため、ケース体２側の開封部２ａのみを切断して不正に開封し、その後再度カバー体１を閉じておいた場合には、不正開封の痕跡が発見しにくいという問題があった。
【０００６】
本発明は上記した問題点を解決するためになされたものであって、本発明が解決しようとする課題は、開封部の不正開封の痕跡を容易に発見できるようにすることのできる遊技機の制御基板収納ボックスを提供することにある。
【０００７】
【課題を解決するための手段】
このため、請求項１記載の制御基板収納ボックスは、  平面的に見て手前側のカバー体と奥側のケース体を有し、前記カバー体の側部に開封部を介して内部に封印ビスが収納されるようにビス保持部を有する封印締着部を設けるとともに前記ビス保持部の上部内面には内方に突出する複数個の抜け止め突起が形成されており、前記抜け止め突起に当接させながら前記封印ビスを挿入することにより前記ビス保持部内に前記封印ビスが収納されるように構成され、前記封印締着部に対応して前記ケース体の側部に開封部を介して封印ボス部を設け、該封印ボス部と前記封印締着部との間に前記ビス保持部に収納されている前記封印ビスを締め込んで前記カバー体を前記ケース体に対して閉じ状態に固定する制御基板収納ボックスであって、前記ケース体の開封部と前記カバー体の開封部は、平面的に見て前記封印締着部と前記封印ボス部よりそれぞれ細く形成されると共に、平面的に見て前記ケース体の開封部を前記カバー体の開封部よりも幅広に形成したことを特徴とする。
【０００８】
この制御基盤収納ボックスによれば、カバー体の閉じ状態において、仮にケース側の開封部のみを切断した場合であっても、ケース側の開封部は平面的に見てカバー体側の開封部よりも幅広に形成されているので、その切断部の痕跡を目視しやすく、これにより不正開封の事実を平面的に見ても容易に発見することができる。
【０００９】
【発明の実施の形態】
次に、本発明の第１実施形態について図１〜図１１を参照して説明する。本実施形態の制御基板収納ボックス１０は、制御基板１１を収納するケース体１２と、このケース体１２に開閉可能に取り付けられて前記制御基板１１を覆うカバー体１３とを備えている。この制御基板収納ボックス１０は、周知のように遊技機の遊技盤の裏面に組付けられる図示しない裏カバー（詳しくは役物保護カバーあるいは裏機構板などが相当する。）に取り外し可能に結合されて遊技盤の裏面側に設置される。図１は当該制御基板収納ボックス１０を平面的に見た図であり、図３はケース体１２を単独で平面的に見た図である。従って、遊技盤の裏面側から平面的に見ると、当該制御基板収納ボックス１０は図１に示すように見え、図示手前側がカバー体１３であり、奥側がケース体１２である。
【００１０】
図３に示すように、ケース体１２は、ほほ四角形板状をなしており、その外周部に側壁１２ａを備えている。ケース体１２の四隅部には、それぞれ下孔１４ａを有するボス部１４がそれぞれ形成されている。なお、図３における左下部のボス部１４はカバー固定用基準ボス部に設定され、残りのボス部は基板固定用取付ボス部に設定されている。
【００１１】
また、ケース体１２の左右側面には、それぞれ上下一対をなす係止ピン１５が突出されている。この係止ピン１５は、遊技盤の裏カバーに配置される左右のセットプレート１６（図１中の二点鎖線参照）の係合孔（図示省略）にそれぞれ係合されるものである。この係止ピン１５とセットプレート１６の係合をもって、制御基板収納ボックス１０が遊技盤の裏カバーに支持される。
【００１２】
図１及び図２に示すように、ケース体１２には、制御基板１１がほぼ隙間なく収納されている。制御基板１１は、表面を実装面１１ａとし、裏面をハンダ面１１ｂとしている。前記実装面１１ａには、ＲＯＭ１８、各種コネクタ１９の他、図示しないＲＡＭ、ＩＣ、ヒューズ等の部品が実装されている。ケース体１２と制御基板１１との間には、パンチングメタル等の導電材からなるシールド板２０が介在されている（図２参照）。シールド板２０は、遊技球の転がり摩擦等による静電気を遮断し、その静電気による制御基板１１の電子部品への影響によるノイズの発生を防止する。
【００１３】
制御基板１１は、その四隅部において前記ケース体１２の各ボス部１４の下孔１４ａにねじ込まれるタッピンネジからなる固定用ビス２１によって締着されている。図１における左下部の固定用ビス２１は、カバー体１３を固定するカバー固定用基準ビスを兼用している。カバー体１３は、制御基板１１の左縁部及び下縁部を露出するように前記ケース体１２より小さ目のほぼ四角形状に形成されており、その外周部に側壁１３ａを備えている（図２参照）。カバー体１３の左側面及び下側面を形成している側壁１３ａの先端は制御基板１１と当接し、またカバー体１３の上側面及び右側面を形成している側壁１３ａはケース体１２の側壁１２ａと一連状の側壁を形成している。
【００１４】
カバー体１３で覆われない制御基板１１の実装面１１ａには、各種コネクタ１９が配置されている。また、制御基板１１の実装面１１ａに配置されたＲＯＭ１８には矩形ボックス状のＲＯＭカバー２３が嵌め合わせによって被せられ、さらにカバー体１３でも覆われている。ＲＯＭカバー２３の上面は、カバー体１３と接面している。
【００１５】
カバー体１３の左側面を形成している側壁１３ａには凹所２４が設けられている。この凹所２４には、制御基板１１上のパワートランジスタ等の大きな熱を発生する熱源を取着した放熱部材（ヒートシンク）２５が露出されており、放熱効果が高められている。またカバー体１３には、制御基板収納ボックス１０の内部で発生する熱を逃がすための小径の放熱孔２６が多数開けられている。
【００１６】
図１に示すように、カバー体１３の正面中央部には、機種名シールの貼り付け部２７が設定されている。またカバー体１３の正面右下部には、確率変更キースイッチの取り付け孔２８が設けられている。またカバー体１３の正面右上部には、ＲＯＭ１８の上方に位置する部分（図３参照）にシリアルナンバーシールの貼り付け部２９が設定されている。
【００１７】
ケース体１２とカバー体１３との一連状をなす側壁１２ａ，１３ａは、ケース体１２とカバー体１３の結合時において互い違い状に嵌め合わされている。詳しくは、図１０のケース体１２とカバー体１３との嵌め合わせ構造を示す分解斜視図によく表されているように、ケース体１２の側壁１２ａとカバー体１３の側壁１３ａとの外側縁部には凹凸状に噛み合う突片部３１と嵌合凹部３２が交互に形成されており、ケース体１２とカバー体１３の結合時において突片部３１と嵌合凹部３２が互いに嵌め合わされることによって側壁１２ａ，１３ａが一連状に接続されている。
【００１８】
前記カバー体１３には、図１に示すように放熱孔２６より大きい口径をなす上下左右の計４個の位置決め孔３３が形成されている。位置決め孔３３は、貫通していない有底状いわゆる窪み状に形成されている。これは制御基板収納ボックス１０内への異物の侵入を極力防ぐことを目的とし、位置決め孔３３からの針金等による不正改造行為を防止する。
【００１９】
一方、ケース体１２の下面には、前記位置決め孔３３と同一軸線上に位置する位置決め突起３４が突出されている（図２参照）。このため、例えば、複数の制御基板収納ボックス１０を積み重ねたときに、下側の制御基板収納ボックス１０の位置決め孔３３に上側の制御基板収納ボックス１０の位置決め突起３４が係合することにより、制御基板収納ボックス１０の荷崩れを防止することができる。このことは、制御基板収納ボックス１０の輸送時、遊技機の組立工場での保管時等に有効である。また、遊技機の制御が複雑になり、制御基板１１の面積を大きくしなければならない場合に、１枚の制御基板１１で対処しようとすると遊技機の裏側の限られた空間に収容することが困難になるため、制御基板１１を複数に分割して使用することが考えられるが、その際に特別な制御基板収納ボックス１０を作らないで、同一の制御基板収納ボックス１０を積み重ねて遊技機に搭載する場合に、前記位置決め孔３３と位置決め突起３４との係合による位置決め機能によって相互間の位置ずれを防止することができて好都合である。
【００２０】
また位置決め突起３４は、制御基板収納ボックス１０を積み重ねた時の荷崩れ防止の他、制御基板収納ボックス１０を遊技機の裏面（具体的には保護カバー等）に前記セットプレート１６を介して取り付けたときに制御基板収納ボックス１０を確実に保持する機能も有している。すなわち、通常、セットプレート１６が可撓性を有していることから、位置決め突起３４がない場合、制御基板収納ボックス１０の横方向（図１において左右方向）からの外力によりセットプレート１６が撓んで制御基板収納ボックス１０が保護カバー等から外れてしまうおそれがある。このため、保護カバー等に位置決め突起３４と係合する孔を設けてき、制御基板収納ボックス１０を保護カバー等に取り付けたときに位置決め突起３４を保護カバーの孔と係合させることにより、制御基板収納ボックス１０の横方向の外力による脱落を防止することができる。
【００２１】
次に、図１に示すように、制御基板収納ボックス１０の側面には適数群の封印部群３６が配置されている。本実施形態では、封印部群３６が制御基板収納ボックス１０の上側中央部、右側下部、及び左側下部の計３ヶ所に設定されている。各封印部群３６は、封印ビス３８によって封印可能な複数（図は４個を示す。）の封印部３７を備えている。各封印部群３６は同一の構成であるから、図１における右側下部の封印部群３６について図４〜図９を参照して詳述し、他の封印部群３６についてはその説明を省略する。なお、図４は封印部群３６の平面図、図５は封印部３７の封印状態を示す断面図、図６は封印ビス３８の仮止め状態を示す断面図、図７は封印部３７の分解断面図、図８は封印番号を示す封印部群３７の平面図、図９は封印ビス３８の説明図である。
【００２２】
先ず、封印ビス３８について図９を参照して説明する。図９において、封印ビス３８は、締めつけは可能であるが、弛めを不可能としたワンウエイタイプのネジであり、（ａ）は封印ビスの平面図、（ｂ）は正面図、（ｃ）は底面図、（ｄ）はネジ山の断面図である。封印ビス３８は、図（ａ）〜（ｃ）に示すように、ネジ山３９ａを外周に有する軸部３９と、十字ドライバー等の回動操作部材と係合する係合孔４０ａを上面に有する頭部４０とからなる。頭部４０の係合孔４０ａは、十字ドライバー等による回動工具の締めつけ方向（図（ａ）中、矢印Ａ方向参照）に関しては係合し、逆に弛め方向（図（ａ）中、矢印Ｂ方向参照）に関しては非係合となる形状に形成されている。また軸部３９のネジ山３９ａには、図（ｂ）及び（ｃ）に示されるように円周上に４ヶ所の溝部３９ｂがネジ山３９ａと交差状に形成されている。またネジ山３９ａのネジ山角は、図（ｄ）に示されるように上下非対称となっている。
【００２３】
上記の構成を有する封印ビス３８は、回動工具による締めつけを可能とする一方、回動工具の弛め方向（図９（ａ）中、矢印Ｂ方向参照）に対する頭部４０の係合力を小さくしかつ弛め方向のネジ山３９ａの回動抵抗を大きくすることにより、締めつけ状態からの取り外しが不能となっている。なお、このような封印ビス３８には、例えば日東精工株式会社製の商品名；ギザタイト、品番ＧＴＰ３ＸＬを使用することができ、あるいは実開昭５９−４７１１４号公報、特開平３−１０３６０７号公報に開示されたネジを代用することも可能である。
【００２４】
次に、封印部３７について説明する。図７に示すようにケース体１２の側壁１２ａには、有底状の下孔４２ａを有する封印ボス部４２が開封部４２ｂを介して側方へ突出状に形成されている。またカバー体１３の側壁１３ａには、ケース体１２の封印ボス部４２に対応して封印締着部４４が開封部４４ｂを介して側方へ突出状に形成されている。両開封部４２ｂ，４４ｂは、平面的に見てほぼ同じ幅の首状に細く形成されており、ニッパー、カッター等の切断工具により切断可能となっている。また封印ボス部４２と封印締着部４４との合わせ面には、相互に嵌まり合う円形の係合凸部４６ａと係合凹部４６ｂとからなる係合手段が設けられている。
【００２５】
前記封印締着部４４は、ほぼ円筒状に形成されており、図示下端部にビス孔４４ａを有しており、そのビス孔４４ａより図示上方部分にビス保持部４７を有している。ビス保持部４７の上半部には、周方向に２個のスリット４８が形成されている（図４参照）。また図７において、封印ビス３８の頭部４０の外径をｄ1、軸部３９の外径をｄ2 としたとき、ビス保持部４７の内径Ｄ1 、ビス孔４４ａの口径Ｄ2 、封印ボス部４２の下孔の内径Ｄ3 は、
Ｄ1
＜ｄ1 、Ｄ2 ＞ｄ2 、Ｄ3 ＜ｄ2
の寸法関係を満たすように形成されている。また封印締着部４４は、封印ビス３８を収容可能な高さを有している。
【００２６】
上記封印締着部４４において、ビス保持部４７に封印ビス３８が挿入されることにより、封印ビス３８の頭部４０によりビス保持部４７がスリット４８間を開くように拡開され、その拡開に抵抗する弾性によって頭部４０が保持されることによって仮止めされる（図６参照）。そして、ケース体１２に対するカバー体１３の組付けにともないケース体１２の封印ボス部４２とカバー体１３の封印締着部４４とが係合凸部４６ａと係合凹部４６ｂの嵌め合いを介して同一軸線上に位置する（図６参照）。そして封印に際しては、封印ビス３８が回動工具によって当該封印ボス部４２の下孔４２ａに締め付けられることによって封印がなされる（図５参照）。
【００２７】
次に、図１１に示すように各封印締着部４４の図示右側面にはそれぞれ凸部４４ｃが側方へ張出し状に形成されている。一方、各封印ボス部４２の図示右側の側面にもほぼ同じ形状の凸部４２ｃが側方へ張出し状に形成されているが、各凸部４２ｃ，４２ｃ間は相互に補助開封部４３により一体に連結されている。このため、図１および図４に示すように、当該封印部群３６を平面的に見ると、ケース体１２側の開封部４２ｂはカバー体１３側の開封部４４ｂにちょうど重ね合わさっているため目視できないが、上記補助開封部４３〜４３はケース体１２側にのみ形成されてカバー体１３側の凸部４４ｃからはみ出しているので平面的に見ても直接目視することができるようになっている。
【００２８】
次に、図４に示すように、封印部群３６の４個の封印部３７は、図示上から下へ１回目用、２回目用、３回目用、４回目用の封印部３７となっており、カバー体１３の開封部４４ｂの上面およびケース体１２の開封部４２ｂの下面には、封印順位を示す「１，２，３，４」の封印番号５０が付されている。封印番号５０は図８によく表されている。制御基板収納ボックス１０の組み立て完了時には、各封印部群３６の「１」の封印番号５０の封印部３７が封印ビス３８によって封印されており、各封印部群３６の「２，３，４」の封印番号５０の封印部３７は予備であって封印されていない。なお封印番号５０は、印刷、刻み込み、樹脂成形金型によって付けることができる。また封印番号は、算用数字の他、ローマ数字、アルファベット、記号等でも代用することが可能である。
【００２９】
また、図４に示すように、カバー体１３の各開封部４４ｂおよび各凸部４４ｃの上面にはローレットにより細かい網目模様５１が形成されている。網目模様５１は、ローレットによる他、樹脂成形金型によって成形することもできる。なお網目模様５１の形状は、図示した格子目の他、すじ目、斜目にしてもよい。さらに、図示は省略したが網目模様５１は、ケース体１２の開封部４２ｂ、凸部４２ｃおよび補助開封部４３の下面にも上記と同様に設けられている。
【００３０】
以上のように構成された本実施形態の制御基板収納ボックス１０によれば、ケース体１２とカバー体１３とを取り外し不能に封印する封印ビス３８によって各封印部群３６の「１」の封印番号５０の封印部３７が封印されているため、当該制御基板収納ボックス１０の不正開封ひいては制御基板１１の不正改造を防止することができる。
【００３１】
特に、ケース体１２側の封印ボス部４２，４２間は補助開封部４３により連結されているので、カバー体１３を開封するには少なくとも上記補助開封部４３を切断する必要がある。また、この補助開封部４３は、カバー体１３側からはみ出した部分であるので、平面的に見ても容易に目視できる。このことから、仮に当該制御基板収納ボックス１０の不正開封があった場合を想定すると、ケース体１２側の開封部４２ｂがカバー体１３側の開封部４４ｂに重ね合わされて平面的に見て目視しづらい場合であっても、上記補助開封部４３が切断されている痕跡を容易に発見することができ、ひいては不正開封の事実を従来よりも迅速かつ確実に発見することができる。
【００３２】
これに対して、当局の立ち入り検査等の場合において、カバー体１３を正当な理由の下に外したい場合には、３ヶ所の封印部群３６の「１」の封印番号５０における開封部４２ｂ，４４ｂおよび補助開封部４３を切断することにより、前記封印ビス３８を締め付けたままカバー体１３を簡単に取り外すことができる。これにより制御基板１１の実装面１１ａの検査が可能となる。なお、封印部３７の開封に際しては、カバー体１３の開封部４４ｂとケース体１２の開封部４２ｂのうち、少なくとも一方が切断されればよいが、この場合には封印締着部４４および封印ボス部４２が残るため、開封の経歴を明確にしておくためには両開封部４２ｂ，４４ｂをともに切断して使用済みの封印締着部４４および封印ボス部４２は完全に除去しておくことが望ましい。
【００３３】
一回目の開封後における再封印にあたっては、３ヶ所の封印部群３６における「２」の封印番号５０の封印部３７のビス保持部４７に仮止めされた封印ビス３８を回動工具により封印ボス部４２に締め付けて封印すれば、制御基板収納ボックス１０を再使用することができる。上記の繰り返しにより、封印番号５０の「３」、「４」の順に封印をやり直すことができる。従って、本形態の制御基板収納ボックス１０の場合、４回分の封印が行える。
【００３４】
上記した制御基板収納ボックス１０によると、予め図６に示すように封印部３７に封印ビス３８を仮止めしておくことにより、封印に際し封印ビス３８を即時に使用して封印することができる。従って、封印に際し封印ビス３８を用意する手間を省くとともに、封印ビス３８の紛失を防止することができる。
【００３５】
また、封印ビス３８がビス保持部４７の弾性によって仮止め保持されるので、ねじ締めによる仮止め保持と比べて、封印ビス３８の仮止め作業が簡便に行えるとともに、封印ビス３８を挿入しずきたとしても簡単に押し戻すことができるため、封印ビス３８の仮止めに係る位置管理が容易に行える。
【００３６】
さらに、ビス保持部４７のスリット４８が途中まで切ってあり、封印ビス３８の頭部４０がスリット４８にかかっている段階では抵抗が少ない状態で締めつけが行われ、締めつけの最終段階（図５参照）では前記頭部４０より小さい外径のために大きなトルクで締めつけることとなる。従って、例えばドライバー等の回動工具の先端を封印ビス３８に接着剤等で接着して封印ビス３８を巧妙に弛めようとした場合でも、前記接着力より十分大きな抵抗を確保できるため、封印ビス３８の弛めを確実に阻止することができる。
【００３７】
また、ビス保持部４７において、カバー体１３だけの状態で封印ビス３８を仮止めするときに、仮に封印ビス３８を深く入れすぎ、封印締着部４４の下面より封印ビス３８の先端部が突出したとしても、その後の工程におけるカバー体１３をケース体１２に取り付けるときに、ケース体１２の封印ボス部４２の下孔４２ａの上端に封印ビス３８の先端が当接して封印ビス３８が上方へ押し戻されるため、制御基板収納ボックス１０の組立作業に影響しない。また、カバー体１３とケース体１２とを組付けた後に、封印ビス３８を仮止めするときでも、封印ビス３８は上方から軽く圧入されるため、封印ビス３８の先端がケース体１２の封印ボス部４２の下孔４２ａの上端に当接してそれ以上入らないので、手作業による封印ビス３８の仮止め作業を容易に行うことができる。
【００３８】
また、封印ビス３８は、製造工程においてカバー体１３だけの状態で全てのビス保持部４７に仮止めしておいてもよいし、あるいはカバー体１３とケース体１２とを組み合わせた後にビス保持部４７に仮止めしてもよい。
【００３９】
さらに、封印番号５０により封印部３７の封印順位が明確に表示されるため、封印順位をホール管理者等が容易に管理することができ、不正改造行為を容易に発見することができる。
【００４０】
また、不正改造の目的で開封部４２ｂ，４４ｂおよび補助開封部４３を切断した場合には、その開封にともない網目模様５１が破損し、その破損した網目模様５１の改修が技術的に困難となるため、その破損状況からも不正改造行為を容易に発見することができる。しかも、開封部４２ｂ，４４ｂに網目模様５１とともに封印番号５０を設けたため、開封によって封印番号５０も読み取れなくなることによっても、不正改造行為の発見がしやすくなる。
【００４１】
さらに、制御基板収納ボックス１０内のＲＯＭ１８が図２に示すようにＲＯＭカバー２３によって取り囲まれ、そのＲＯＭカバー２３の上面がカバー体１３と接面されているため、ケース体１２とカバー体１３との合わせ面をドライバー等でこじ開けてその隙間からＲＯＭ１８に対して行おうとする不正改造行為を防止することができる。なお、ＲＯＭカバー２３は、制御基板１１とカバー体１３との間に隙間ができないような形状であれば良く、例えば上記形態のものであればＲＯＭ１８に嵌め合わせることによって容易に取着することができる。また、制御基板１１上に回路素子や配線が少なく、ＲＯＭ１８周りに余裕空間のある場合には、ＲＯＭカバー２３を円筒状や楕円筒状にすることもできる。
【００４２】
また、ケース体１２とカバー体１３との突片部３１と嵌合凹部３２とによる嵌め合わせによって一連状の側壁１２ａ，１３ａを形成するようにしたため、側壁１２ａ，１３ａが外力を受けた場合でも歪みにくい。このため、側壁１２ａ，１３ａを押さえつけて、カバー体１３とケース体１２との間に隙間を作ろうとしても隙間ができないため、その隙間から針金等の異物を挿入して行おうとする不正改造行為を防止することができる。
【００４３】
さらに、ケース体１２の側壁１２ａのうち、カバー体１３の側壁１３ａと突き合わせとならない部分（図２において左側の部分）の上端位置が、制御基板１１と前記側壁１３ａとの当接位置よりも高い位置にあるため、カバー体１３の側壁１３ａと制御基板１１との間から針金等の異物を制御基板収納ボックス１０内へ挿入しにくくなり、これまた不正改造行為を防止するに有効である。
【００４４】
以上例示した第１実施形態には種々変更を加えることができる。例えば、図１３に示すように各封印締着部４４に凸部４４ｃが設けられていない場合であっても、前記第１実施形態と同様の補助開封部４３を設けることにより同様の作用効果を得ることができる。特に、第１実施形態の場合、封印ボス部４２側の凸部４２ｃを切断した場合には、封印締着部４４側の凸部４４ｃにより平面的に見てその痕跡が目視しにくくなるが、この構成であれば凸部４２を切断した場合であっても、その痕跡は平面的に見ても容易に目視することができる。
【００４５】
さらに、補助開封部４３は必ずしも上記のように凸部４２ｃ，４２ｃ間に形成する必要はなく、図１４に示すように封印ボス部４２，４２の側部間に直接形成する構成としてもよい。この場合には、図示するように封印締着部４４側の凸部４４ｃのみならず、封印ボス部４２側の凸部４２ｃも必要ない。
【００４６】
また、例えば図１２に示すようにケース体１２側の開封部４２ｄを、カバー体１３側の開封部４４ｂよりも平面的に見て幅広に形成し、これにより平面的に見て奥側となる開封部４２ｄが手前側の開封部４４ｂからはみ出す構成としてもよい。この第２実施形態の構成によれば、仮にケース体１２側の開封部４２ｄのみを切断して不正開封しても、この開封部４２ｄは平面的に見てカバー体１３側の開封部４４ｂからはみ出しているので、その切断の痕跡ひいては不正開封の事実を平面的に見ても容易に発見することができる。この構成は、請求項１記載の発明の実施形態に相当する。
【００４７】
また、図１５に示すように４箇所の封印ボス部４２〜４２を平板形状の封印受け部４５に一体化してもよい。この場合、この封印受け部４５に、封印締着部４４のビス穴４４ａに対応して４箇所の下穴４５ａ〜４５ａを設けておく。この第３実施形態の構成は、請求項３記載の発明の実施形態に相当する。係る構成によっても、ケース体１２側の封印受け部４５が、カバー体１３側の封印締着部４４および開封部４４ｂから平面的に見てはみ出しているので、仮に封印受け部４５のみを切断して不正開封してもその痕跡を平面的に見ても容易に発見することができ、これにより不正開封の事実を迅速に発見することができる。
【００４８】
さらに、図示は省略したが、ケース体１２を例えば青色に着色されたＡＢＳ樹脂であって、塑性変形を加えるとその部分が白濁色に変色する性質を有する樹脂材料を素材として製作する構成とすることによっても、当該制御基板収納ボックス１０の不正開封の事実を迅速に発見できるようになる。この第４実施形態の構成が請求項４に記載した発明の実施形態に相当する。
【００４９】
すなわち、上記例示したケース体１２側の開封部４４ｂ、補助開封部４３、幅広タイプの開封部４２ｄあるいは封印受け部４５を切断して塑性変形を加えると、その部分が青色から白濁色に変色する。一方、カバー体１３は、当該制御基板収納ボックス１０の内部を透視できるようにしておく必要があるため、通常無色透明の樹脂材料を素材として製作されている。従って、例えばケース体１２側の開封部４２ｂがカバー体１３側の開封部４４ｂに対して平面的に見て重なり合っている場合であっても、上記開封部４２ｂの変色すなわち切断の痕跡は平面的に見て容易に透視できる。
【００５０】
このように、ケース体１２の素材として上記一定の性質を有する樹脂材料を用いることによっても、同様の作用効果を得ることができる。従って、素材としての樹脂材料は例示したいわゆるＡＢＳ樹脂に限らず、同様の性質を有する他の樹脂材料であってもよい。また、素材の色は青色に限らず、赤色あるいは黒色等、塑性変形時の白濁色に対して区別の付きやすい色（コントラストのハッキリした色）であればよい。
【００５１】
その他の構成についても、様々な変更を加えて実施することができる。以下、その他の変更例について説明する。変更例１は、図１７に示すように第１実施形態の一部を変更したものであるからその変更部分について詳述し、それ以外の重複する説明は省略する。また、変更例２以降の説明についても同様の考えで重複する説明は省略する。
【００５２】
変更例１は、第１実施形態の封印ビス３８の仮止め構造に変更を加えたものである。図１７において、（ａ）はビス保持部の平面図、（ｂ）は封印部の断面図である。図１７に示すように、ビス保持部４７のスリット４８が周方向に４ヶ所設けられている。このようにビス保持部４７のスリット４８の個数を増加させることにより、ビス保持部４７の弾性力を小さくし、ビス保持部４７への封印ビス３８の挿入を軽く行うことができる。なお、ビス保持部４７のスリット４８の個数は適宜選定されるもので限定されない。
【００５３】
変更例２について図１８を参照して説明する。変更例２は、変更例１の封印ビス３８の仮止め構造にさらに変更を加えたものである。図１８において、（ａ）はビス保持部の平面図、（ｂ）は封印部の断面図、（ｃ）はビス孔部分の平断面図である。図１８（ａ），（ｂ）に示すように、ビス保持部４７の上端部に内方に突出する適数個（図は４個を示す。）の抜け止め突起５３が形成されている。また図１８（ｃ）に示すように、ビス孔４４ａの内周面には、適数個（図は３個を示す。）の支持突起５４が形成されている。
【００５４】
また、図１８（ｂ）に示すように、ビス保持部４７の口径Ｄ1 、抜け止め突起５３の開口部分の口径Ｄ4 、支持突起５４の開口部分の口径Ｄ5 との関係は、
Ｄ1
≧ｄ1 、Ｄ4 ＜ｄ1 、Ｄ5 ＜ｄ2
の寸法関係を満たすように形成されている。なおｄ1 は封印ビス３８の頭部４０の外径、ｄ2 は軸部３９の外径である（図７参照）。
【００５５】
上記ビス保持部４７において、ビス保持部４７に封印ビス３８を挿入するときには、封印ビス３８の頭部４０によりビス保持部４７の抜け止め突起５３が当たってビス保持部４７が拡開され、封印ビス３８がビス保持部４７内に収納されると、ビス保持部４７が原状状態に復元し、封印ビス３８が抜け止めされた状態で仮止め保持される。また、収納された封印ビス３８は、ビス孔４４ａの支持突起５４によってそれ以上の下降が阻止される。なお封印ビス３８が締めつけられるときには、支持突起５４は封印ビス３８のネジ山３９ａによって潰される。
【００５６】
上記した封印ビス３８の仮止め構造によると、封印ビス３８がビス保持部４７に抜け止め状態で収納されることによって仮止め保持されるので、弾性による仮止め保持（第１実施形態、変更例１参照）と比べて、封印ビス３８の保持中にビス保持部４７に応力がかからないため、封印ビス３８の保持力が低下するおそれがなく、長期にわたって仮止め状態を継続することができる。
【００５７】
また、ビス孔４４ａに封印ビス３８の下降を阻止する支持突起５４を設けたことにより、封印時の封印ビス３８の締めつけトルクの増大を抑制することができる。例えば、ビス孔４４ａの口径Ｄ2 と封印ビス３８の軸部３９の外径ｄを、
Ｄ2
＜ｄ2
とすることにより、封印ビス３８の下降を阻止することはできるが、封印ビス３８のネジ込みトルクが大きくなってしまうが、Ｄ2 ＞ｄ2 のビス孔４４ａの内周面に部分的に支持突起５４を設けることによって、前記締めつけトルクの増大を抑制している。
【００５８】
また、ビス孔４４ａの口径Ｄ2 と封印ビス３８の軸部３９の外径ｄ2 とを、
Ｄ2
＞ｄ2
としたまま、支持突起５４を設けない場合には、カバー体１３のみの状態で封印ビス３８を挿入すると、封印ビス３８の軸部３９の先端部がビス孔４４ａからぶら下がる状態になる。この場合は、カバー体１３とケース体１２とを組み合わせたときに、封印ビス３８の先端部が封印ボス部４２の下孔４２ａの上端に当たって、封印ビス３８が持ち上げられた状態で保持される。また、カバー体１３とケース体１２とを組み合わせた後に、封印ビス３８をビス保持部４７に挿入すれば、封印ビス３８の先端が封印ボス部４２の下孔４２ａの上端に当たって、前記と同様に保持されることになる。
【００５９】
次に、変更例３について図１９を参照して説明する。この変更例３は変更例２の封印ビス３８の仮止め構造に変更を加えたものである。図１９において、（ａ）は封印部の断面図、（ｂ）は抜け止めキャップの斜視図である。図１９に示すように、変更例２におけるビス保持部４７の抜け止め突起５３を排除し、代わりにビス保持部４７の上端部に被せる抜け止めキャップ５６を設けている。抜け止めキャップ５６は、封印部群３６の全ての封印部３７のビス保持部４７に被せることができるように、４個のキャップ主部５６ａを互いに連設部５６ｂによって連設している。各キャップ主部５６ａは、封印ビス３８の頭部４０の外径ｄ1 （図７参照）よりも小さい抜け止め孔５７を有している。なお抜け止め孔５７は、少なくとも回動工具の挿入を妨げない口径を有している。また抜け止めキャップ５６は、ポリプロピレン樹脂等の軟質の樹脂材料によって成形されており、キャップ主部５６ａをビス保持部４７にその変形をもって嵌着可能に形成されている。この場合、ビス保持部４７のスリット４８は不要である。
【００６０】
上記した封印ビス３８の仮止め構造によると、封印部群３６の各ビス保持部４７に抜け止めキャップ５６のキャップ主部５６ａをそれぞれ装着し、封印ビス３８をビス保持部４７に抜け止め状態で収納することによって仮止め保持することができる。
【００６１】
また、封印ビス３８をビス保持部４７に一々挿入することも可能であるが、図１９（ａ）に示すように、キャップ主部５６ａの抜け止め孔５７の抜け止め側の口縁に粘着剤５８を塗布しておくと、制御基板収納ボックス１０の組立に並行して、抜け止めキャップ５６に封印ビス３８の頭部４０を前記粘着剤５８を介して仮付けすることができる。そして、制御基板収納ボックス１０の組立の最終工程で、ビス保持部４７への抜け止めキャップ５６の装着と共に前記封印ビス３８をビス保持部４７に挿入すれば、組立に要するリードタイムの削減を図ることもできる。
【００６２】
また、４個のキャップ主部５６ａを互いに連設部５６ｂによって連設した抜け止めキャップ５６としたため、各ビス保持部４７に１個一個の抜け止めキャップを被せる場合と比べて、抜け止めキャップ５６の装着を簡便に行うことができる。
【００６３】
次に、変更例４について図２０を参照して説明する。この変更例４は、変更例３の封印ビスの仮止め構造に変更を加えたものである。図２０は封印部の断面図である。図２０に示すように、実施の形態４における抜け止めキャップ５６を排除し、ビス孔４４ａを下孔５９として、その下孔５９に封印ビス３８を螺着したものである。
【００６４】
上記した封印ビス３８の仮止め構造によると、下孔５９にビス保持部４７を通して螺着することによって、封印ビス３８をビス保持部４７内に仮止め保持することができる。なお、この場合、下孔５９に代えて、ビス孔４４ａの内周面に実施の形態３における支持突起５４（図１８（ｃ）参照）を設けて、封印ビス３８の締めつけトルクを低減するとよい。
【００６５】
また、封印ビス３８を螺着により仮止めする場合において、カバー体１３だけの状態で仮止めするときには、封印ビス３８の先端部がカバー体１３の封印締着部４４の下面より突き出しすぎないようにする必要があり、またカバー体１３とケース体１２と組付けた後に仮止めするときに誤ってカバー体１３とケース体１２とを締結しないようにする必要がある。このような場合には、封印ビス３８の上下方向の位置決め管理あるいはトルク管理を行えばよい。特に、自動組立の場合には、位置決め管理、トルク管理を容易に行うことが可能である。
【００６６】
次に、変更例５について図２１を参照して説明する。変更例５は封印ビス３８の変更例を示すものである。図２１（ａ）は封印ビスの斜視図、同（ｂ）は封印ビスの封印状態を示す斜視図である。本形態の封印ビス（符号、６１を付す。）は、シャービスと呼ばれるもので、図２１（ａ）に示すように、ネジ山を有する軸部６２の頭部６３にドライバー等の回動操作部材と係合する係合孔６４ａを有する係合部６４と、ドライバー等の回動操作部材の所定以上の締め付け力によって剪断するくびれ部６５を備えている。
【００６７】
上記の封印ビス６１は、締めつけ完了にともない、くびれ部６５に回動操作部材による所定以上の締め付け力が加わると、くびれ部６５に剪断を生じ、図２１（ｂ）に示されるように係合部６４が頭部６３から分離される。頭部６３から係合部６４が無くなり、封印ビス３８に対する弛めが不可能となる。
【００６８】
次に、変更例６について図２２を参照して説明する。変更例６は第１実施形態のＲＯＭカバー２３を変更したものである。ＲＯＭカバー２３に代えて、図２２に断面図で示すＲＯＭ押え構造を採用している。このＲＯＭ押え構造は、カバー体１３の裏面に、ＲＯＭ１８の上面と当接する当接面６７ａを先端に有する支持柱部６７を一体に設けたものである。前記支持柱部６７によりＲＯＭ１８の抜き取りを防止することができる。
【００６９】
さらに、変更例７について図２３を参照して説明する。変更例７は変更例６のＲＯＭ押え構造を変更したもので、支持柱部６７に代えて、カバー体１３と別体の支持部材６９を設けたものである。図２３（ａ）は組付け状態の断面図、同（ｂ）は支持部材の斜視図である。支持部材６９は、ほぼＵ字形状をなしており、ＲＯＭ１８の上面と当接する当接面６９ａを下面に有し、カバー体１３の放熱孔２６に係入可能な係合突起７０を上端面６９ｂに有している。支持部材６９は、カバー体１３の放熱孔２６に係合突起７０を係合することにより組付けられる。この場合、制御基板１１上のＲＯＭ１８の配置に応じて支持部材６９の位置を放熱孔２６が存在する範囲内で適宜変更することができるので、カバー体１３の共通化を図ることができる。
【００７０】
次に、変更例８について図２４〜図２６を参照して説明する。この変更例８は第１実施形態のカバー体１３に変更を加えたものである。図２４は制御基板収納ボックスを示す正面図、図２５は説明断面図である。図２４及び図２５に示すように、カバー体１３が制御基板１１の実装面１１ａを全て覆う形状に形成されている。
【００７１】
上記のカバー体１３によると、コネクタ１９を覆っているので、コネクタ１９を介しての不正信号の入力といった不正改造を防止することができる。なお、この場合は、ケース体１２とカバー体１３との合わせ面に全周にわたって、突片部３１と嵌合凹部３２とによる嵌め合い構造が採用される。
【００７２】
コネクタ１９等に接続されるリード線（図示省略）は、図２４及び図２６の断面図によく示されるように、制御基板１１に設けた開口部７３、ケース体１２に設けた開口部７４を通して制御基板収納ボックス１０の内外に配線することができる。
【００７３】
また制御基板収納ボックス１０は、図２７に正面図で示されるように、遊技盤の裏面に取り付ける保護カバー７５に装着される。このため、制御基板収納ボックス１０に接続されるリード線は、保護カバー７５側にも設けられた開口部（図示省略）を通して保護カバー７５の内方へ配線することができる。従って、制御基板収納ボックス１０のリード線を、外部に露出すること無く、遊技盤の役物や図柄表示器からの配線と接続することができる。よって、リード線を介しての不正信号の入力といった不正改造を防止することができる。
【図面の簡単な説明】
【図１】  本発明の第１実施形態を示す図であり、制御基板収納ボックスを示す一部破断平面図である。
【図２】  制御基板収納ボックスの縦断面図である。
【図３】  ケース体の平面図である。
【図４】  封印部群の平面図である。
【図５】  封印部の封印状態を示す縦断面図である。
【図６】  封印ビスの仮止め状態を示す封印部の縦断面図である。
【図７】  封印ビスを仮止めする前における封印部の縦断面図である。
【図８】  封印番号を示す封印部群の平面図である。
【図９】  封印ビスを示す図であり、（ａ）は平面図、（ｂ）は側面図、（ｃ）は下面図、（ｄ）はネジ山の断面図である。
【図１０】  ケース体とカバー体との嵌め合わせ構造を示す分解斜視図である。
【図１１】  第１実施形態の封印部の斜視図である。
【図１２】  第２実施形態の封印部の平面図である。
【図１３】  第１実施形態の変形例を示す封印部の斜視図である。
【図１４】  第１実施形態の変形例を示す封印部の斜視図である。
【図１５】  第３実施形態の封印部の平面図である。
【図１６】  従来の封印部の斜視図である。
【図１７】  変更１に係る封印ビスの仮止め構造を示す説明図である。
【図１８】  変更例２に係る封印ビスの仮止め構造を示す説明図である。
【図１９】  変更例３に係る封印ビスの仮止め構造を示す説明図である。
【図２０】  変更例４に係る封印ビスの仮止め構造を示す説明図である。
【図２１】  変更例５に係る封印ビスを示す説明図である。
【図２２】  変更例６に係るＲＯＭ押え構造を示す断面図である。
【図２３】  変更例７に係るＲＯＭ押え部材を示す説明図である。
【図２４】  変更例８の制御基板収納ボックスを示す正面図である。
【図２５】  図２４の説明断面図である。
【図２６】  配線部の説明断面図である。
【図２７】  制御基板収納ボックスを保護カバーに装着した状態を示す正面図である。
【符号の説明】
１０…制御基板収納ボックス
１２…ケース体
１３…カバー体
３７…封印部
３８…封印ビス
４２…封印ボス部、４２ｂ…開封部
４４…封印締着部、４４ｂ…開封部
４３…補助開封部
４５…封印受け部
【図１】
0004075098.tif 000002
【図２】
0004075098.tif 000003
【図３】
0004075098.tif 000004
【図４】
0004075098.tif 000005
【図５】
0004075098.tif 000006
【図６】
0004075098.tif 000007
【図７】
0004075098.tif 000008
【図８】
0004075098.tif 000009
【図９】
0004075098.tif 000010
【図１０】
0004075098.tif 000011
【図１１】
0004075098.tif 000012
【図１２】
0004075098.tif 000013
【図１３】
0004075098.tif 000014
【図１４】
0004075098.tif 000015
【図１５】
0004075098.tif 000016
【図１６】
0004075098.tif 000017
【図１７】
0004075098.tif 000018
【図１８】
0004075098.tif 000019
【図１９】
0004075098.tif 000020
【図２０】
0004075098.tif 000021
【図２１】
0004075098.tif 000022
【図２２】
0004075098.tif 000023
【図２３】
0004075098.tif 000024
【図２４】
0004075098.tif 000025
【図２５】
0004075098.tif 000026
【図２６】
0004075098.tif 000027
【図２７】
0004075098.tif 000028